(57)【要約】【課題】  モーションコントラストデータの解析を好適に行うことができる。【解決手段】  光干渉断層計によって取得された被検体のモーションコントラストデータを解析するためのＯＣＴモーションコントラストデータ解析装置であって、複数のセクションに分割された第１の解析領域を、前記ＯＣＴモーションコントラストデータとは異なる画像データである被検眼眼底のＯＣＴデータに設定して、予め設定された複数のセクションでの被検眼眼底の層厚に関する基本統計量を取得するステップと、複数のセクションに分割された第２の解析領域を被検眼眼底の前記モーションコントラストデータに設定して、前記モーションコントラストデータの解析処理を行うステップと、を有し、前記第２の解析領域の各セクションの配置位置及び範囲は、前記第１の解析領域での各セクションの配置位置及び範囲と同一であることを特徴とする。【選択図】      図４
2020044362.tif 000002
【特許請求の範囲】
【請求項１】
光干渉断層計によって取得された被検体のモーションコントラストデータを解析するためのＯＣＴモーションコントラストデータ解析装置であって、
複数のセクションに分割された第１の解析領域を、前記ＯＣＴモーションコントラストデータとは異なる画像データである被検眼眼底のＯＣＴデータに設定して、予め設定された複数のセクションでの被検眼眼底の層厚に関する基本統計量を取得するステップと、
複数のセクションに分割された第２の解析領域を被検眼眼底の前記モーションコントラストデータに設定して、前記モーションコントラストデータの解析処理を行うステップと、を有し、
前記第２の解析領域の各セクションの配置位置及び範囲は、前記第１の解析領域での各セクションの配置位置及び範囲と同一であることを特徴とするＯＣＴモーションコントラストデータ解析装置。
【請求項２】
複数のセクションに分割された解析領域を、解析チャートに基づいて前記モーションコントラストデータ上に設定することを特徴とする請求項１のＯＣＴモーションコントラストデータ解析装置。
【請求項３】
前記解析チャートは、予め設定された複数のセクションでの被検体の計測結果の基本統計量を計測するための解析チャートであることを特徴とする請求項２のＯＣＴモーションコントラストデータ解析装置。
【請求項４】
第２の解析領域での計測結果を、モニタに表示することを特徴とする請求項１〜３の何れかに記載のＯＣＴモーションコントラストデータ解析装置。
【請求項５】
第２の解析領域での計測結果を、被検眼の眼軸長値に応じて補正することを特徴とする請求項１〜４の何れかに記載のＯＣＴモーションコントラストデータ解析装置。
【請求項６】
前記解析領域での各セクションの解析結果と、前記解析チャートの各セクションの解析結果を対応付けて評価する請求項１〜５の何れかに記載のＯＣＴモーションコントラストデータ解析装置。
【請求項７】
前記第２の画像データは、被検体のＯＣＴデータ、被検体の正面画像、被検体に関する解析マップの少なくともいずれかであることを特徴とする請求項１〜６の何れかに記載のＯＣＴモーションコントラストデータ解析装置。
【請求項８】
前記第２の画像データは、前記ＯＣＴモーションコントラストデータの基礎となるＯＣＴデータと関連付けられていることを特徴とする請求項１〜７の何れかに記載のＯＣＴモーションコントラストデータ解析装置。
【請求項９】
前記解析処理による解析結果に基づいて前記被検眼の血管密度を計測することを特徴とする請求項１〜８の何れかに記載のＯＣＴモーションコントラストデータ解析装置。
【請求項１０】
光干渉断層計によって取得された被検体のモーションコントラストデータを解析するためのＯＣＴモーションコントラストデータ解析装置において実行されるＯＣＴモーションコントラストデータ解析プログラムであって、前記ＯＣＴモーションコントラストデータ解析装置のプロセッサによって実行されることで、
複数のセクションに分割された第１の解析領域を、前記ＯＣＴモーションコントラストデータとは異なる画像データである被検眼眼底のＯＣＴデータに設定して、予め設定された複数のセクションでの被検眼眼底の層厚に関する基本統計量を取得するステップと、
複数のセクションに分割された第２の解析領域を被検眼眼底の前記モーションコントラストデータに設定して、前記モーションコントラストデータの解析処理を行うステップと、を有し、
前記第２の解析領域の各セクションの配置位置及び範囲は、前記第１の解析領域での各セクションの配置位置及び範囲と同一であることを特徴とするＯＣＴモーションコントラストデータ解析プログラム。
【発明の詳細な説明】
【技術分野】
【０００１】
本開示は、光干渉断層計（ＯＣＴ：Optical Coherence Tomography）によって取得されたモーションコントラストデータを解析するための装置に関する。
【背景技術】
【０００２】
近年では、ＯＣＴ技術を利用して、被検体のモーションコントラストデータを得る技術が注目されている（非特許文献１参照）。
【先行技術文献】
【非特許文献】
【０００３】
【非特許文献１】Roberto Reif et al. “Quantifying Optical Microangiography I    mages Obtained from a Spectral Domain Optical Coherence Tomography System”,    International Journal of Biomedical Imaging, Vol.2012, Article ID 509783, p.    11
【発明の概要】
【発明が解決しようとする課題】
【０００４】
しかしながら、モーションコントラストデータの画像化については、種々の改良がおこなわれているが、解析関係については、種々の面で改善の余地があり得る。
【０００５】
例えば、モーションコントラストデータを用いた解析と、ＯＣＴデータを用いた解析（例えば、眼底の層厚解析）とが独立しており、手間であった。また、各解析結果の対比が難しかった。複数のモーションコントラストデータの解析する場合も手間であった。
【０００６】
本開示は、従来技術の問題点の少なくとも一つを鑑み、モーションコントラストデータの解析を好適に行うことができるＯＣＴモーションコントラストデータ解析装置、ＯＣＴモーションコントラストデータ解析プログラムを提供することを技術課題とする。
【課題を解決するための手段】
【０００７】
上記課題を解決するために、本開示は以下のような構成を備えることを特徴とする。
【０００８】
（１）  光干渉断層計によって取得された被検体のモーションコントラストデータを解析するためのＯＣＴモーションコントラストデータ解析装置であって、複数のセクションに分割された第１の解析領域を、前記ＯＣＴモーションコントラストデータとは異なる画像データである被検眼眼底のＯＣＴデータに設定して、予め設定された複数のセクションでの被検眼眼底の層厚に関する基本統計量を取得するステップと、複数のセクションに分割された第２の解析領域を被検眼眼底の前記モーションコントラストデータに設定して、前記モーションコントラストデータの解析処理を行うステップと、を有し、前記第２の解析領域の各セクションの配置位置及び範囲は、前記第１の解析領域での各セクションの配置位置及び範囲と同一であることを特徴とする。
（２）  光干渉断層計によって取得された被検体のモーションコントラストデータを解析するためのＯＣＴモーションコントラストデータ解析装置において実行されるＯＣＴモーションコントラストデータ解析プログラムであって、前記ＯＣＴモーションコントラストデータ解析装置のプロセッサによって実行されることで、複数のセクションに分割された第１の解析領域を、前記ＯＣＴモーションコントラストデータとは異なる画像データである被検眼眼底のＯＣＴデータに設定して、予め設定された複数のセクションでの被検眼眼底の層厚に関する基本統計量を取得するステップと、複数のセクションに分割された第２の解析領域を被検眼眼底の前記モーションコントラストデータに設定して、前記モーションコントラストデータの解析処理を行うステップと、を有し、前記第２の解析領域の各セクションの配置位置及び範囲は、前記第１の解析領域での各セクションの配置位置及び範囲と同一であることを特徴とする。
【図面の簡単な説明】
【０００９】
【図１】本実施例の概略を示すブロック図である。
【図２】ＯＣＴデバイスの光学系の一例を示す図である。
【図３】モーションコントラストの取得について説明するための図である。
【図４】表示画面の一例を示す図である。
【図５】設定画面の一例を示す図である。
【図６】表示画面の一例を示す図である。
【発明を実施するための形態】
【００１０】
以下、本実施形態について簡単に説明する。本実施形態のＯＣＴモーションコントラストデータ解析装置は、例えば、光干渉断層計によって取得された被検体のモーションコントラストデータを解析する。ＯＣＴモーションコントラストデータ解析装置は、例えば、解析処理部（例えば、制御部７０）を備える。解析処理部は、例えば、第２の画像データ上に設定された解析チャートに基づいて、モーションコントラストデータに対する解析処理を行う。ここで、第２の画像データは、例えば、モーションコントラストデータとは異なる画像データである。これによって、本解析装置は、モーションコントラストの解析をスムーズに行うことができる。
【００１１】
例えば、解析処理部は、解析チャートの位置情報に基づいてモーションコントラストデータに対する解析領域を設定してもよい。そして、解析処理部は、設定された解析領域に関してモーションコントラストに対する解析処理を行うようにしてもよい。このような解析処理は、例えば、解析領域における血管領域の抽出処理に適用されてもよい。
【００１２】
また、解析処理部は、解析チャートの位置情報に基づいてモーションコントラストデータに対する解析処理を行う際の基準位置を設定し、設定された基準位置を基準としてモーションコントラストに対する解析処理を行うようにしてもよい。この場合、設定された基準位置を基準として解析領域が設定されてもよい。解析処理部は、設定された解析領域に関してモーションコントラストに対する解析処理を行うようにしてもよい。このような処理は、例えば、解析領域における血管領域の抽出処理に適用されてもよい。また、設定された基準位置を基準としてモーションコントラストデータに対する解析処理が実行されてもよい。このような処理は、例えば、無血管領域の抽出処理を行う際の基準位置の設定に適用されてもよい。
【００１３】
また、解析チャートの範囲に基づいて、モーションコントラストデータでの解析領域が設定されてもよい。
【００１４】
なお、モーションコントラストデータは、例えば、二次元モーションコントラストデータ、エンフェイスモーションコントラストデータ、３次元モーションコントラストデータであってもよい。
【００１５】
なお、解析チャートは、設定されたセクションでの計測結果の基本統計量を示す解析チャートであってもよく、例えば、モーションコントラストデータの基礎となるＯＣＴデータに対する解析結果に基づく計測結果の基本統計量であってもよい。
【００１６】
第２の画像データは、モーションコントラストデータと、被検体上の取得部位に関して少なくとも重複してもよい。例えば、第２の画像データは、被検体上の取得範囲に関して、モーションコントラストデータと同一であってもよい。第２の画像データは、例えば、被検体上の取得範囲に関して、モーションコントラストデータの取得範囲を含んでもよい。
【００１７】
なお、解析処理部は、例えば、解析チャートの変更に連動して、変更された解析チャートに基づく解析処理を行ってもよい。これによって、解析チャートの設定変更に応じたモーションコントラストの解析に対する変更をスムーズに行うことができる。
【００１８】
例えば、解析処理部は、解析チャートの表示位置の変更に連動して、モーションコントラストデータに対する解析領域の位置を変更してもよい。例えば、解析処理部は、解析チャートの範囲の変更に連動して、モーションコントラストデータに対する解析領域の範囲を変更してもよい。
【００１９】
また、例えば、解析処理部は、解析チャートの表示位置の変更に連動して、モーションコントラストデータに対する解析処理の基準位置を変更してもよい。
【００２０】
なお、解析処理部は、例えば、解析チャートの中心位置に基づいて、モーションコントラストデータに対する解析処理の中心位置又は基準位置を設定してもよい。
【００２１】
なお、解析処理部は、例えば、解析処理による解析結果に基づいて被検体の計測処理を行ってもよい。
【００２２】
なお、解析処理部は、解析チャートに基づいて脈管解析領域を設定してもよい。そして、解析処理部は、設定された脈管解析領域において脈管抽出処理を行ってもよい。
【００２３】
なお、解析処理部は、抽出された脈管に関する計測を行ってもよい。脈管に関する計測としては、脈管の面積・体積、脈管の密度、脈管の量、脈管総量、脈管蛇行度、脈管の規則性、脈管の対称性等であってもよい。
【００２４】
解析処理部は、例えば、モーションコントラストデータにおける無脈管抽出処理の基準位置を解析チャートの位置に基づいて設定してもよい。そして解析処理部は、設定された基準位置を基準として無脈管抽出処理を行ってもよい。
【００２５】
なお、本装置は、例えば、第１の指示受付部（例えば、制御部７０）をさらに備えてもよい。第１の指示受付部は、例えば、第２の画像データ上での解析チャートの位置を設定するための検者からの指示を受け付ける。この場合、解析処理部は、第１の指示受付部によって設定された解析チャートの位置情報に基づいて、モーションコントラストデータに対する解析処理を行ってもよい。
【００２６】
なお、第２の画像データは、例えば、被検体の正面画像、被検体に関する解析マップ等の少なくともいずれかであってもよい。
【００２７】
なお、本装置は、例えば、第２の指示受付部（例えば、制御部７０）をさらに備えてもよい。第２の指示受付部は、例えば、モーションコントラストデータ上での解析領域の位置又は解析処理の基準位置を設定するための検者からの指示を受け付ける。この場合、解析処理部は、例えば、第２の指示受付部によって設定された解析領域の位置情報又は基準位置の位置情報に基づいて、モーションコントラストデータに対する解析処理を行ってもよい。
【００２８】
なお、解析処理部は、第２の指示受付手段によって設定された解析領域の位置情報又は基準位置の位置情報に基づいて、解析チャートの位置を設定できてもよい。
【００２９】
なお、第２の画像データは、モーションコントラストデータの基礎となるＯＣＴデータと関連付けられていてもよい。
【００３０】
なお、解析処理部は、解析処理として閾値処理による血管領域の抽出を行う場合、閾値を求めるために設定されるモーションコントラストデータ上の領域を、解析チャートの位置情報に基づいて設定してもよい。
【００３１】
なお、本装置は、第３の指示受付部を備えてもよい。第３の指示受付部は、例えば、モーションコントラストデータで解析領域を選択するための検者からの指示を受け付ける。この場合、解析処理部は、第３の指示受付部によって選択された解析領域に基づいて、第２の画像データ上での解析領域を設定してもよい。
【００３２】
なお、被検体は、被検眼眼底であってもよい。この場合、解析処理部は、例えば、モーションコントラストデータの被検体上での取得領域に応じて、解析処理を行うために設定される解析領域の位置、範囲、形状の少なくともいずれかをそれぞれ設定可能であってもよい。もちろん、解析領域の位置、範囲、形状等は、それぞれ予め設定可能であってもよいし、各データに対する解析結果に応じて範囲が変更されてもよい。
【００３３】
なお、取得領域は、被検体の表面方向（例えば、被検眼眼底の黄斑、乳頭など）であってもよいし、被検体の深さ方向（例えば、被検眼眼底の血管層毎など）であってもよい。
【００３４】
なお、取得領域が異なる複数のモーションコントラストデータが生成された場合、各データ毎に解析領域の範囲をそれぞれ設定可能であってもよい。複数のモーションコントラストデータとしては、例えば、各血管層に分離された複数の正面モーションコントラストデータであってもよく、正面モーションコントラストデータ毎に異なる解析領域を設定可能であってもよい。
【００３５】
なお、解析マップとしては、例えば、被検体に関する計測結果の二次元分布を示すマップであってもよい。この場合、例えば、例えば、計測値に応じて色分けされたカラーマップであってもよい。
【００３６】
なお、例えば、解析チャート５０４は、予め設定されたセクションでの被検体の計測結果の基本統計量を求めるための解析チャートであってもよく、セクション内での基本統計量が計測されてもよい。
【００３７】
＜実施例＞
以下、本実施例のＯＣＴモーションコントラストデータ解析装置について図面を用いて説明する。図１に示すＯＣＴモーションコントラストデータ解析装置（以下、ＯＣＴ解析装置）１は、ＯＣＴデバイス１０によって取得されたモーションコントラストデータを解析処理する。
【００３８】
ＯＣＴ解析装置１は、例えば、制御部７０を備える。制御部７０は、例えば、一般的なＣＰＵ（Central Processing Unit）７１、フラッシュＲＯＭ７２、ＲＡＭ７３、等で実現される。フラッシュＲＯＭ７２には、例えば、モーションコントラストデータを処理するための解析処理プログラム、ＯＣＴデバイス１０の動作を制御してモーションコントラストデータを得るためのプログラム、初期値等が記憶される。ＲＡＭ７３は、例えば、各種情報を一時的に記憶する。
【００３９】
制御部７０には、図１に示すように、例えば、記憶部（例えば、不揮発性メモリ）７４、操作部７６、および表示部７５等が電気的に接続されている。記憶部７４は、例えば、電源の供給が遮断されても記憶内容を保持できる非一過性の記憶媒体である。例えば、ハードディスクドライブ、フラッシュＲＯＭ、着脱可能なＵＳＢメモリ等を記憶部７４として使用することができる。
【００４０】
操作部７６には、検者による各種操作指示が入力される。操作部７６は、入力された操作指示に応じた信号をＣＰＵ７１に出力する。操作部７６には、例えば、マウス、ジョイスティック、キーボード、タッチパネル等の少なくともいずれかのユーザーインターフェイスを用いればよい。
【００４１】
表示部７５は、装置１の本体に搭載されたディスプレイであってもよいし、本体に接続されたディスプレイであってもよい。例えば、パーソナルコンピュータ（以下、「ＰＣ」という）のディスプレイを用いてもよい。表示部７５は、例えば、ＯＣＴデバイス１０によって取得されたＯＣＴデータ、モーションコントラストデータ等を表示する。
【００４２】
なお、本実施例のＯＣＴ解析装置１は、例えば、ＯＣＴデバイス１０が接続されている。なお、ＯＣＴ解析装置１は、例えば、ＯＣＴデバイス１０と同一の筐体に収納された一体的な構成であってもよいし、別々の構成であってもよい。制御部７０は、接続されたＯＣＴデバイス１０からモーションコントラストデータを取得してもよい。制御部７０は、記憶媒体を介してＯＣＴデバイス１０によって取得されたモーションコントラストデータを取得してもよい。
【００４３】
＜ＯＣＴデバイス＞
以下、図２に基づいてＯＣＴデバイス１０の概略を説明する。例えば、ＯＣＴデバイス１０は、被検眼Ｅに測定光を照射し、その反射光と測定光とによって取得されたＯＣＴ信号を取得する。ＯＣＴデバイス１０は、例えば、ＯＣＴ光学系１００を主に備える。
【００４４】
＜ＯＣＴ光学系＞
ＯＣＴ光学系１００は、被検眼Ｅに測定光を照射し、その反射光と参照光との干渉信号を検出する。ＯＣＴ光学系１００は、例えば、測定光源１０２と、カップラー（光分割器）１０４と、測定光学系１０６と、参照光学系１１０と、検出器１２０等を主に備える。なお、ＯＣＴ光学系の詳しい構成については、例えば、特開２０１５−１３１１０７号を参考にされたい。
【００４５】
ＯＣＴ光学系１００は、いわゆる光断層干渉計（ＯＣＴ：Optical coherence tomography）の光学系である。ＯＣＴ光学系１００は、測定光源１０２から出射された光をカップラー１０４によって測定光（試料光）と参照光に分割する。分割された測定光は測定光学系１０６へ、参照光は参照光学系１１０へそれぞれ導光される。測定光は測定光学系１０６を介して被検眼Ｅの眼底Ｅｆに導かれる。その後、被検眼Ｅによって反射された測定光と，参照光との合成による干渉光を検出器１２０に受光させる。
【００４６】
測定光学系１０６は、例えば、走査部（例えば、光スキャナ）１０８を備える。走査部１０８は、例えば、眼底上でＸＹ方向（横断方向）に測定光を走査させるために設けられてもよい。例えば、ＣＰＵ７１は、設定された走査位置情報に基づいて走査部１０８の動作を制御し、検出器１２０によって検出された受光信号に基づいてＯＣＴ信号を取得する。参照光学系１１０は、眼底Ｅｆでの測定光の反射によって取得される反射光と合成される参照光を生成する。参照光学系１１０は、マイケルソンタイプであってもよいし、マッハツェンダタイプであっても良い。
【００４７】
検出器１２０は、測定光と参照光との干渉状態を検出する。フーリエドメインＯＣＴの場合では、干渉光のスペクトル強度が検出器１２０によって検出され、スペクトル強度データに対するフーリエ変換によって所定範囲における深さプロファイル（Ａスキャン信号）が取得される。
【００４８】
なお、ＯＣＴデバイス１０として、例えば、Spectral-domain OCT（ＳＤ−ＯＣＴ）、Swept-source OCT（ＳＳ−ＯＣＴ）、Time-domain OCT（ＴＤ−ＯＣＴ）等が用いられてもよい。
【００４９】
＜正面撮影光学系＞
正面撮影光学系２００は、例えば、被検眼Ｅの眼底Ｅｆを正面方向（例えば、測定光の光軸方向）から撮影し、眼底Ｅｆの正面画像を得る。正面撮影光学系２００は、例えば、走査型レーザ検眼鏡（ＳＬＯ）の装置構成であってもよいし（例えば、特開２０１５−６６２４２号公報参照）、いわゆる眼底カメラタイプの構成であってもよい（特開２０１１−１０９４４参照）。なお、正面撮影光学系２００としては、ＯＣＴ光学系１００が兼用してもよく、検出器１２０からの検出信号に基づいて正面画像が取得されてもよい。
【００５０】
＜固視標投影部＞
固視標投影部３００は、眼Ｅの視線方向を誘導するための光学系を有する。投影部３００は、眼Ｅに呈示する固視標を有し、眼Ｅを誘導できる。例えば、固視標投影部３００は、可視光を発する可視光源を有し、固視標の呈示位置を二次元的に変更させる。これによって、視線方向が変更され、結果的にＯＣＴデータの取得部位が変更される。
【００５１】
＜モーションコントラストデータの取得＞
本実施例のＯＣＴ解析装置１は、例えば、ＯＣＴデバイス１０によって検出されたＯＣＴデータを処理してモーションコントラストデータを取得してもよい。ＣＰＵ７１は、走査部１０８の駆動を制御し、眼底Ｅｆ上の領域Ａ１において測定光を走査させる。なお、図３（ａ）において、ｚ軸の方向は、測定光の光軸の方向とする。ｘ軸の方向は、ｚ軸に垂直であって被検者の左右方向とする。ｙ軸の方向は、ｚ軸に垂直であって被検者の上下方向とする。
【００５２】
例えば、ＣＰＵ７１は、領域Ａ１において走査ラインＳＬ１，ＳＬ２，・・・，ＳＬｎに沿ってｘ方向に測定光を走査させる。なお、測定光の光軸方向に交差する方向（例えば、ｘ方向）に測定光を走査させることを「Ｂスキャン」と呼ぶ。そして、１回のＢスキャンによって得られた二次元ＯＣＴデータを１フレームの二次元ＯＣＴデータとして説明する。ＣＰＵ７１は、例えば、ｘｙ方向に２次元的に測定光を走査させ、各走査位置においてｚ方向のＡスキャン信号を得てもよい。
【００５３】
ＣＰＵ７１は、ＯＣＴデータに基づいてモーションコントラストデータを取得してもよい。モーションコントラストは、例えば、被検眼の血流、網膜組織の変化などを捉えた情報であってもよい。モーションコントラストデータを取得する場合、ＣＰＵ７１は、被検眼の同一位置に関して時間的に異なる少なくとも２つのＯＣＴデータを取得する。例えば、各走査ラインにおいて、ＣＰＵ７１は、時間の異なる複数回のＢスキャンを行い、時間の異なる複数のＯＣＴデータをそれぞれ取得する。
【００５４】
例えば、図３（ｂ）は、走査ラインＳＬ１，ＳＬ２，・・・，ＳＬｎにおいて時間の異なる複数回のＢスキャンを行った場合に取得されたＯＣＴ信号を示している。例えば、図３（ｂ）は、走査ラインＳＬ１を時間Ｔ１１，Ｔ１２，・・・，Ｔ１Ｎで走査し、走査ラインＳＬ２を時間Ｔ２１，Ｔ２２，・・・，Ｔ２Ｎで走査し、走査ラインＳＬｎを時間Ｔｎ１，Ｔｎ２，・・・，ＴｎＮで走査した場合を示している。例えば、ＣＰＵ７１は、各走査ラインにおいて、時間の異なる複数のＯＣＴデータを取得し、そのＯＣＴデータを記憶部７４に記憶させる。
【００５５】
ＣＰＵ７１は、上記のように、同一位置に関して時間的に異なる複数のＯＣＴデータを取得すると、ＯＣＴデータを処理してモーションコントラストデータを取得する。モーションコントラストを取得するためのＯＣＴデータの演算方法としては、例えば、複素ＯＣＴデータの強度差を算出する方法、複素ＯＣＴデータの位相差を算出する方法、複素ＯＣＴデータのベクトル差分を算出する方法、複素ＯＣＴ信号の位相差及びベクトル差分を掛け合わせる方法、信号の相関を用いる方法（コリレーションマッピング）などが挙げられる。なお、演算手法の一つとして、例えば、特開２０１５−１３１１０７号公報を参照されたい。
【００５６】
ＣＰＵ７１は、異なる走査ラインでのモーションコントラストデータを並べることによって、被検眼Ｅの３次元モーションコントラストデータを取得してもよい。なお、前述のように、モーションコントラストデータとしては、位相差に限らず、強度差、ベクトル差分等が取得されてもよい。
【００５７】
＜モーションコントラストデータの解析処理＞
上記のように取得されたモーションコントラストデータの解析処理の一例を、以下に説明する。
【００５８】
ＣＰＵ７１は、モーションコントラストデータに対する解析領域を設定し、設定された解析領域に関して解析処理を行うことによって少なくとも一つの解析結果を取得してもよい。この場合、ＣＰＵ７１は、モーションコントラストデータとは異なる画像データである第２の画像データ上の解析チャートの位置情報を基準として、モーションコントラストデータでの解析領域を設定してもよい。
【００５９】
以下、解析結果の一例として、モーションコントラストデータに対する解析処理によって被検眼の血管領域を抽出する場合について説明する。この場合、モーションコントラストデータに対する解析領域として血管解析領域が設定され、少なくとも血管解析領域において血管領域を抽出するための解析処理を行われる。
【００６０】
図４は、血管領域を抽出する際の解析画面の一例を示す図である。ＣＰＵ７１は、例えば、解析画面において、ＭＣ表示領域４００、第２の画像表示領域５００を表示部７５の表示画面に表示するようにしてもよい。この場合、ＭＣ表示領域４００、第２の画像表示領域５００が同時に表示されてもよいし、別タイミングで表示されてもよい。
【００６１】
ＭＣ表示領域４００は、モーションコントラストデータ（以下、ＭＣデータ）４０２を表示するための領域であり、例えば、ＭＣデータ４０２として、図４に示すように、正面ＭＣデータ（エンフェイスＭＣデータともいう）が表示されてもよい。正面ＭＣデータは、例えば、深さ方向の少なくとも一部の領域に関して３次元ＭＣデータを取り出す（例えば、特願２０１５−１２１５７４号公報参照）ことによって取得されてもよい。例えば、ＭＣデータにおける深さ方向での積算値又は最大値によって正面ＭＣデータが生成されてもよい。もちろん、ＭＣデータ４０２として、一次元ＭＣデータ、二次元ＭＣデータ、３次元ＭＣデータが表示されてもよい。
【００６２】
ＣＰＵ７１は、ＭＣデータ４０２上での血管解析領域を示す表示（例えば、グラフィック４０４）を、ＭＣデータ４０２上に表示するようにしてもよい。血管解析領域を示す表示としては、図４のグラフィック４０４のように血管解析領域の外縁を示す枠表示であってもよいし、血管解析領域と非血管解析領域とが色分けされた表示であってもよい。
【００６３】
第２の画像表示領域５００には、ＭＣデータ４０２とは異なる画像データである第２の画像データ５０２を表示するための領域であり、例えば、正面画像、解析マップの少なくともいずれかが表示されてもよい。第２の画像データ５０２は、取得部位に関して、ＭＣデータ４０２と少なくとも一部が重複する画像データが用いられる。例えば、ＭＣデータ４０２が黄斑部位を中心とするデータの場合、黄斑に関する第２の画像データが表示され、ＭＣデータ４０２が乳頭部位を中心とするデータの場合、乳頭に関する第２の画像データが表示されてもよい。
【００６４】
解析マップとしては、例えば、眼底に関する計測結果の二次元分布を示すマップであってもよい。この場合、例えば、例えば、計測値に応じて色分けされたカラーマップであってもよい。解析マップとしては、例えば、層厚を示す厚みマップ、被検眼の層厚と正常眼データベースに記憶された正常眼の層厚との比較結果を示す比較マップ、被検眼の層厚と正常眼データベースに記憶された正常眼の層厚とのずれを標準偏差にて示すデビエーションマップ、各検査日との厚みの差分を示す検査日比較厚み差分マップ、であってもよい。なお、層厚を求める場合、例えば、ＯＣＴデータに対する画像処理（例えば、セグメンテーション処理）によってＯＣＴデータが層毎に分割処理され、層境界の間隔に基づいて各層の厚みが計測される。もちろん、層厚に限定されず、解析マップとしては、層厚に限定されず、例えば、眼底の曲率分布を示すマップであってよい。
【００６５】
正面画像は、例えば、正面撮影光学系２００によって撮影された正面画像であってもよいし、ＯＣＴ３次元データから生成される正面ＯＣＴデータ（エンフェイスＯＣＴデータともいう）であってもよい。３次元ＯＣＴデータの場合、３次元モーションコントラストデータの基礎となる３次元ＯＣＴデータであってもよい。解析マップは、例えば、被検眼上の解析結果（例えば、眼底層の厚み、曲率など）を二次元的に表現するカラーマップであってもよい。図４では、第２の画像データ５０２として、正面画像に解析マップが重畳された画像が表示されている。
【００６６】
＜解析チャート＞
ＣＰＵ７１は、解析チャート５０４を、第２の画像データ５０２上に重畳して表示してもよい。この場合、第２の画像データ５０２は、３次元ＯＣＴデータに対する解析結果に基づく計測結果（例えば、解析マップの計測データ）と予め関連付けられてもよく（レジストレーション）、解析チャート５０４が設定された領域に対応する計測結果が出力される。この場合、第２の画像データ５０２が３次元ＯＣＴデータと関連付けされ、解析チャートが設定された領域に関して解析処理が実行されてもよく、解析結果に基づいて計測結果が出力されてもよい。この場合、３次元ＯＣＴデータは、ＭＣデータの基礎となる３次元ＯＣＴデータであることが好ましい。なぜなら、ＭＣデータと第２の画像データとの位置的な対応付け（レジストレーション）が容易かつ正確であるからである。
【００６７】
例えば、解析チャート５０４は、予め設定されたセクションでの計測結果の基本統計量を計測するための解析チャートであってもよく、セクション内での基本統計量が計測されてもよい。解析チャート５０４を形成するセクションは、一つの領域であってもよいし、複数のセクションであってもよい。複数のセクションの場合、分割されたセクション毎に基本統計量が計測されてもよい。基本統計量としては、代表値（平均値、中央値、最頻値、最大値、最小値、など）、散布度（分散、標準偏差、変動係数）などであってもよい。
【００６８】
例えば、解析チャート５０４は、眼底の層厚の二次元的な分布につき、領域毎の平均を求めるチャートであってもよい。また、解析チャート５０４には、所定領域での層厚を数値にて表示する数値表示領域が付されてもよい。数値表示の代わりに、セクション単位での、計測結果に応じた色分けが行われてもよい。層厚データは、各層の合計であってもよいし、ある層（例えば、視神経線維層）での厚みであってもよい。
【００６９】
解析チャート５０４は任意に選択可能であり、厚みマップが黄斑マップの場合、解析チャート５０４として、例えば、検者は、ＧＣＨＡＲＴ、Ｓ／Ｉチャート、ＥＴＤＲＳから選択可能である。なお、厚みマップが乳頭マップの場合、解析チャートとして、例えば、全体チャート、上下チャート（２分割）、ＴＳＮＩＴチャート（４分割）、ＣｌｏｃｋＨｏｕｒチャート（１２分割）から選択可能である。
【００７０】
ＣＰＵ７１は、操作部７６からの操作信号を受け付け、第２の画像データ５０２上での解析チャート５０４の表示位置を変更してもよい。これによって、第２の画像データ５０２上での解析チャート５０４による解析領域が変更される。ＣＰＵ７１は、解析チャート５０４の表示位置の変更に連動して、変更後の解析領域における解析結果を求めてもよい。なお、解析チャートの一部が、第２の画像データ５０２をはみ出してもよい。
【００７１】
例えば、検者は、操作部７６を用いて解析チャート５０４を移動させることによって、解析チャートの中心５０４ｃを、眼底の基準部位（例えば、中心窩中心（図４中のＭ参照）、視神経乳頭中心、異常部位）に設定してもよい。これによって、例えば、眼底の基準部位を中心として、解析チャート５０４による計測結果が得られる。例えば、基準部位を中心とするチャート内全体の平均層厚、基準部位の層厚、基準部位を中心とする所定エリア内での平均層厚（例えば、１、２、３ｍｍ）等が計測されてもよい。これによって、眼底上の基準部位を中心とする計測結果が得られるので、臨床的にも有用である。
【００７２】
＜解析チャートと血管解析領域の連動＞
例えば、ＣＰＵ７１は、解析チャート５０４の位置情報を用いて、ＭＣデータ上での血管領域の抽出を行うようにしてもよい。より詳細には、ＣＰＵ７１は、解析チャート５０４の移動に連動して、ＭＣデータ上での血管解析領域の位置を移動させるようにしてもよい。この場合、ＣＰＵ７１は、血管解析領域を示す表示（例えば、グラフィック４０４）を、ＭＣデータ４０２上で移動させてもよい。つまり、解析チャート５０４による解析領域の移動に連動して、血管解析領域の位置が変化する。
【００７３】
血管解析領域の移動の結果、ＭＣデータ上での血管解析領域が変更される。そこで、ＣＰＵ７１は、血管解析領域の変更に連動して、変更後の血管解析領域における解析結果を求めてもよい（血管解析の手法については後述する）。
【００７４】
解析チャートと血管解析領域を連動させる場合、ＣＰＵ７１は、第２の画像データ５０２での解析チャート５０４の中心５０４ｃと、ＭＣデータ４０２での血管解析領域の中心４０４ｃとが、解析上の同一位置に配置されるように、血管解析領域を移動させてもよい。つまり、ＣＰＵ７１は、ＭＣデータ４０２において、第２の画像データ５０２における解析チャート５０４の中心位置に対応する位置に解析領域の中心を設定してもよい。この場合、第２の画像データ５０２とＭＣデータ４０２との間で位置的に関連付け（レジストレーション）されていることが好ましい。
【００７５】
ここで、例えば、検者が、解析チャート５０４の中心５０４ｃを、眼底の基準部位（例えば、中心窩中心、視神経乳頭中心、異常部位）に設定した場合、血管解析領域の中心が、眼底の基準部位に自動的に設定される。これによって、ＭＣデータ４０２上で改めて解析領域を変更しなくとも、解析の基準位置を、解析チャート５０４による解析とＭＣデータ４０２に対する解析との間で一致させることができる。
【００７６】
＜血管解析領域の設定＞
血管解析領域は、検者が任意に設定できてもよい。例えば、ＣＰＵ７１は、操作部７６からの操作信号を受け付け、ＭＣデータ上での血管解析領域の位置を変更してもよい。この場合、血管解析領域を示す表示の位置を変更してもよい。ＣＰＵ７１は、血管解析領域の変更に応じて、変更後の血管解析領域における解析結果を求めてよい。この場合、ＣＰＵ７１は、血管解析領域の移動に連動して、第２の画像データ５０２上での解析チャート５０４の位置を移動させるようにしてもよい。この結果、解析チャート５０４の位置調整の手間を省くことができる。
【００７７】
なお、複数のモーションコントラストデータの解析を行う場合、第１のモーションコントラストデータにおける血管解析領域の位置の変更に連動して、第２のモーションコントラストデータにおける血管解析領域の位置の設定に用いてもよい。例えば、眼底の深さ方向に関して異なる複数のモーションコントラストデータの解析において適用可能である。また、ＣＰＵ７１は、第１のモーションコントラストデータ上で設定された第１のデータ領域を利用して、第２のモーションコントラストデータの中で第１のデータ領域に位置的に対応する第２のデータ領域でのアーチファクトを除去してもよい（例えば、第２のデータ領域の各画素の輝度において第１のデータ領域の各輝度の輝度を差し引く）。
【００７８】
血管解析領域の範囲（サイズ）が検者によって設定できてもよい。血管解析領域の範囲は、眼底上でのＭＣデータ４０２の取得領域に応じて設定可能であってもよい。取得領域としては、眼底の表面方向に関して異なる取得領域に応じて設定可能であってもよい。例えば、黄斑部位、乳頭部位に関して、範囲がそれぞれ設定されてもよい。
【００７９】
取得領域に応じた設定としては、眼底の深さ方向に関して異なる取得領域に応じて設定可能であってもよい。例えば、異なる血管層に関して、範囲がそれぞれ設定されてもよい。もちろん、血管層に限定されず、異なる網膜層（又は脈絡膜層）に関して、範囲がそれぞれ設定されてもよい。これによって、眼底上での取得領域に応じた血管解析が可能となる。正面ＭＣデータが血管層毎に複数生成される場合、各血管層の正面ＭＣデータでそれぞれ血管解析領域の範囲が予め設定可能であってもよい。これによって、各血管層に応じた血管解析が可能となる。
【００８０】
図５は設定画面の例であり、黄斑マップは、黄斑を中心とするモーションコントラストデータ、乳頭マップは、乳頭を中心とするモーションコントラストデータを示しており、マップ単位で、範囲（例えば、直径）が設定される。なお、範囲を設定する場合、例えば、ＣＰＵ７１は、操作部７６からの操作信号を受け付けることによってグラフィック４０４の範囲（サイズ）を変更してもよい。また、血管解析領域の範囲は、解析チャート５０４と同じ範囲であってもよい。また、解析チャート５０４の範囲に基づいて、血管解析領域の範囲が設定されてもよい。
【００８１】
なお、上記説明においては、血管解析領域の変更パラメータとして、血管解析領域の位置、範囲（サイズ）を設定可能としたが、これに限定されない。例えば、血管解析領域の形状を設定可能であってもよい（例えば、円、楕円、矩形等）。この場合、眼底上でのＭＣデータ４０２の取得領域に応じて、血管解析領域の形状が設定可能であってもよい。
【００８２】
血管解析領域は、複数のセクションに分割された領域であってもよく、各セクションにおいて血管解析が実行されてもよい。各セクションの配置位置又は範囲（サイズ）のいずれかが異なる複数の血管解析領域が選択可能であってもよい。
【００８３】
この場合、眼底上でのＭＣデータ４０２の取得領域に応じて、血管解析領域の分割パターンが設定可能であってもよい。例えば、Superficial Capillary Plexusは、全体チャート（セクション一つ）、Intermediate Capillary PlexusはS/Iチャート（上下２分割セクション）であってもよい。この場合、血管解析領域の各セクションの配置位置及び範囲は、解析チャート５０４の各セクションの配置位置及び範囲と同一となるように設定されてもよい。これによって、解析チャート５０４の各セクションの解析結果と、血管解析領域での各セクションの解析結果とを対応付けて評価できる。よって、眼底の血管解析結果と、眼底の形態解析結果（例えば、層厚）との関連性を、セクション単位で確認できる。
【００８４】
＜血管抽出処理、血管計測＞
ＣＰＵ７１は、前述のように設定された血管解析領域にてＭＣデータ４０２を解析することによって、設定された血管解析領域での計測結果を表示部７５上に表示してもよい。このようにすれば、解析チャートでの計測とＭＣデータ４０２に対する計測とをスムーズに行うことができる。なお、解析結果は、例えば、ＭＣ表示領域４００上に数値４０６として表示されてもよい。
【００８５】
例えば、ＣＰＵ７１は、ＭＣデータ上の血管解析領域として設定された領域に関して画像処理による解析を行うことによって、血管領域と非血管領域との判別処理を行う。判別処理によって、血管領域が抽出される。この場合、判別処理によって、非血管領域が抽出されてもよい。
【００８６】
判別処理としては、例えば、閾値処理であってもよく、閾値を満たす画素を血管領域とし、閾値を満たさない画素を非血管領域として判別してもよい。閾値自体は、検者によって任意に設定できてもよいし、固定値として予め決定されていてもよい。また、閾値は、ＭＣデータ４０２に対する画像解析処理を経て設定されてもよい。
【００８７】
例えば、ＣＰＵ７１は、判別処理の結果に基づいて血管領域に関する計測を行うようにしてもよい。ＣＰＵ７１は、判別処理によって抽出された血管領域に基づいて、血管領域を計測してもよい。計測結果としては、例えば、血管密度、血管面積であってもよい。血管領域の密度としては、例えば、血管解析領域全体における血管領域の比率を求めることによって、単位面積当たりの血管の面積（血管量）が求められる。計測結果としては、これに限定されず、例えば、血管総量、血管蛇行度、血管の規則性等であってもよい。なお、血管解析領域が、複数のセクションに分割された場合、ＣＰＵ７１は、各セクション間での計測結果の比率、差分を求めてもよい。これによって、例えば、血管の対称性等を求めることができる。
【００８８】
なお、血管計測に関し、眼軸長に応じてＯＣＴの走査範囲が異なる場合があるので、ＣＰＵ７１は、被検眼の眼軸長値に応じて計測結果を補正してもよい。なお、ＣＰＵ７１は、判別処理の結果に基づいて、血管領域と非血管領域とを判別して表示してもよく、例えば、血管領域を色づけして表示してもよい。
【００８９】
例えば、ＣＰＵ７１は、血管解析領域の変更に応じて再解析を行い、血管抽出処理の結果を更新してもよい。この場合、ＣＰＵ７１は、血管抽出処理の結果を更新すると共に、更新された血管抽出の結果に基づいて、血管領域に関する計測結果を更新してもよい。
【００９０】
例えば、ＣＰＵ７１は、解析チャート５０４の変更に連動した血管解析領域の変更に応じて、血管領域に関する計測結果を更新してもよい。これによって、検者が、解析チャート５０４の中心５０４ｃを、眼底の基準部位（例えば、中心窩中心、視神経乳頭中心）に設定した場合、眼底の基準部位を中心とする血管計測をスムーズに行うことができる。
【００９１】
なお、血管領域と非血管領域との判別処理を自動的に行う場合、ＣＰＵ７１は、ＭＣデータ４０２の輝度値から二値化処理（例えば、判別分析法）を適用することによって、血管・非血管領域を定めてもよい。解析チャート５０４が複数のセクションを有する場合、チャートの各セクションに対応する領域単位で閾値が設定されてもよいし、チャート全体に対応する領域全体で閾値が設定されてもよい。また、血管解析領域が複数のセクションに分割されている場合、各セクションに対応する領域単位で閾値が設定されてもよいし、血管解析領域全体で閾値が設定されてもよい。
この場合、ＣＰＵ７１は、解析チャート５０４の中心５０４ｃに対応する中心座標から所定領域（例えば、２．０ｍｍ）のみを二値化パラメータ（閾値）を算出する際の対象領域とし、算出されたパラメータを用いて、対象領域よりも周辺の領域に対する二値化処理を行うようにしてもよい
ＭＣデータ４０２の周辺部は、不要な成分が含まれている場合が多い。例えば、眼軸長が長い眼等の場合、眼の湾曲が大きいので、画角が広い範囲で撮影した場合、基礎となるＯＣＴデータ自体が欠ける。また、データの端部（例えば、撮影の終わりの方）で眼が動いて、基礎となるＯＣＴデータが欠ける場合がある。そこで、解析チャート５０４の位置を利用することによって判別処理を精度よく実施できる。
【００９２】
＜解析チャートを用いた中心窩無血管領域（ＦＡＺ）の検出＞
次に、ＭＣデータ４０２に対する解析処理によって被検眼のＦＡＺを抽出する場合について説明する。この場合、ＭＣデータに対して、無血管解析領域を抽出するための解析処理を行われる。
【００９３】
図６は、ＦＡＺを抽出する際の解析画面の一例を示す図である。なお、図４と同じ番号を付したものについては、特段の説明がない限り、同一の機能・構成を有するものとする。
【００９４】
例えば、ＣＰＵ７１は、解析チャート５０４の中心５０４ｃの位置情報を用いて、ＭＣデータ上での中心窩無血管領域（以下、ＦＡＺ）の抽出処理を行うようにしてもよい。より詳細には、画像処理によってＦＡＺを抽出する場合、ＣＰＵ７１は、シード点Ｓ（領域検出の開始）を基準として周辺の画素値を解析することによって、ＦＡＺに対応する領域を抽出してもよい。
【００９５】
ＦＡＺは、無血管領域であって輝度値が低いので、例えば、ＦＡＺの中心部に設定されたシード点Ｓを基準として中心部周辺での輝度と連結性を判定することによって、ＦＡＺが抽出される。なお、抽出処理の手法としては、例えば、グラフ理論ベースでの抽出処理の他、領域拡張法による抽出、Ｓｎａｋｅ、Ｌｅｖｅｌ  Ｓｅｔのような動的輪郭モデルによる抽出がある。また、Kimらによる”Noninvasive Imaging of the Foveal Avascular Zone with High-Speed,Phase-Variance Optical Coherence Tomography” 2012年1月に記載された手法が用いられてもよい。
【００９６】
ここで、ＣＰＵ７１は、第２の画像データ５０２での解析チャート５０４の中心５０４ｃと、ＭＣデータ４０２上での解析処理の基準位置（例えば、シード点Ｓ）とが、解析上の同一位置に配置されるように、無血管抽出処理の基準位置を設定してもよい。ここで、ＣＰＵ７１は、解析チャート５０４の中心５０４ｃの位置と、ＭＣデータ４０２上での無血管抽出処理の基準位置（例えば、シード点Ｓ）を一致させる。つまり、ＣＰＵ７１は、ＭＣデータ４０２において、第２の画像データ５０２における解析チャート５０４の中心位置に対応する位置に、解析処理の基準位置を設定してもよい。この場合、第２の画像データ５０２とＭＣデータ４０２との間で位置的に関連付け（レジストレーション）されていることが好ましい。
【００９７】
例えば、解析チャート５０４の中心５０４ｃが中心窩中心に設定された場合、解析処理の基準位置（例えば、シード点Ｓの位置）が中心窩中心に設定されるので、ＦＡＺをスムーズに検出することができる。仮に、解析処理の基準位置から外れた場合、血管領域を中心に画像処理が行われる可能性があり、ＦＡＺの抽出精度が低下する可能性がある。
【００９８】
もちろん、ＣＰＵ７１は、操作部７６からの操作信号を受け付け、解析処理での基準位置を設定してもよく、設定された基準位置を基準としてＦＡＺを画像処理によって検出してもよい。この場合、ＣＰＵ７１は、ＦＡＺ抽出時の解析処理の基準位置と、解析チャート５０４の中心５０４ｃとが、解析上の同一位置に配置されるように、解析チャート５０４の表示位置を変更してもよい。
【００９９】
なお、上記解析は、血管に限定されず、脈管解析領域として脈管解析（例えば、リンパ管）に適用可能である。
【０１００】
なお、上記説明においては、解析領域に限定して解析処理を行ったが、これに限定されず、ＣＰＵ７１は、設定された解析領域に関する解析処理を行うと共に、他の領域についても解析処理を行ってもよい。
【０１０１】
なお、上記説明においては、正面ＭＣデータを例として説明したが、ＭＣデータであれば、本実施形態の適用は可能である。例えば、３次元ＯＣＴデータ上での解析チャートの位置情報に基づいて、３次元ＭＣデータの解析領域が設定されてもよい。もちろん、ＭＣデータとしては、例えば、一次元ＭＣデータ、二次元ＭＣデータであってもよい。
【０１０２】
なお、上記説明においては、ＭＣデータが表示部７５に表示された上で、ＭＣデータに対する血管の計測結果が出力されたが、これに限定されず、ＭＣデータを表示せず、第２の画像データ５０２と共に、ＣＰＵ７１に行われた計測結果のみが表示されるようにしてもよい。これにより、画面上の表示を簡略化できる。
【０１０３】
なお、上記説明においては、第２の画像データとして、被検体の正面画像、被検体に関する解析マップを用いたが、例えば、解析処理を行うモーションコントラストデータとは異なる第２のモーションコントラストデータであってもよい。これによって、複数のモーションコントラストデータの解析をスムーズに行うことができる。
【０１０４】
また、眼底の表面方向に関して異なる複数の正面ＭＣデータの合成によって、広範囲のＭＣデータが生成された場合、ＣＰＵ７１は、一つの正面ＭＣデータよりも広い領域を解析領域して設定するようにしてもよい。これにより、広範囲における解析が可能となる。また、ＣＰＵ７１は、前述のように生成された広範囲のＭＣデータを形成する正面ＭＣデータ毎の解析領域を設定するようにしてもよい。この場合、各正面ＭＣデータにおいて複数の解析領域が設定されてもよい。
【０１０５】
なお、上記説明においては、被検眼の眼底を例として説明したが、これに限定されず、被検眼の前眼部においても適用可能である。さらに、被検眼に限らず、ＯＣＴによって取得された他のモーションコントラストデータ（例えば、眼以外の他の組織におけるモーションコントラストデータ）に対しても適用可能である。
【符号の説明】
【０１０６】
１  ＯＣＴモーションコントラストデータ解析装置
１０  ＯＣＴデバイス
７０  制御部
７５  表示部
４００  ＭＣ表示領域
４０２  ＭＣデータ
５００  第２の画像表示領域
５０２  第２の画像データ
５０４  解析チャート
【図１】
2020044362.tif 000003
【図２】
2020044362.tif 000004
【図３】
2020044362.tif 000005
【図４】
2020044362.tif 000006
【図５】
2020044362.tif 000007
【図６】
2020044362.tif 000008